(57)【要約】【課題】  安価な構成で、且つ、異なる表示規格の外部表示装置にビデオ信号を出力しながら撮影装置の液晶ディスプレイへの表示も行なうことができる撮影装置を得る。【解決手段】  接続されるＴＶがＰＡＬ方式に設定されていると、クロックジェネレータが供給する動作クロック信号の周波数をＰＡＬ方式用の周波数に設定し（１０８）、合成画像データを選択してデジタルエンコーダに入力し、キャラクタデータを選択してＬＣＤコントローラに入力するように、セレクタをＰＡＬ方式用に設定する（１１０）。ＬＣＤコントローラは、キャラクタデータをＰＡＬ方式の表示信号に変換してＬＣＤに供給し、画像データをＬＣＤに表示し、デジタルエンコーダ及びＤＡＣは、合成画像データをＰＡＬ方式のビデオ信号に変換してビデオ出力端子に供給し、キャラクタデータをＴＶに表示する。【選択図】  図３
2006060445.tif 000002
【特許請求の範囲】
【請求項１】
被写体を撮影して被写体画像を示す画像データを出力する撮影手段と、
前記撮影手段から出力された画像データ及び該画像データに関するキャラクタデータを記憶する記憶手段と、
予め定められた表示規格の表示信号に基づいて表示する表示手段と、
入力されたデータを前記表示信号に変換する第１の変換手段と、
入力されたデータを外部表示装置の表示規格に対応したビデオ信号に変換する第２の変換手段と、
前記表示手段の表示規格と前記外部表示装置の表示規格とが異なる場合には、キャラクタデータを選択して前記第１の変換手段に入力すると共に、画像データ又は画像データ及びキャラクタデータを選択して前記第２の変換手段に入力する選択入力手段と、
を含む撮影装置。
【請求項２】
前記外部表示装置の表示規格に対応した動作クロック信号を生成するクロック信号生成手段を更に含み、
前記第１の変換手段は、入力されたデータを前記動作クロック信号に基づいて前記外部表示装置の表示規格に対応した前記表示信号に変換し、前記第２の変換手段は、入力されたデータを前記クロック信号に基づいて前記外部表示装置の表示規格に対応した前記ビデオ信号に変換する請求項１に記載の撮影装置。
【請求項３】
前記外部表示装置の表示規格はＰＡＬ方式及びＮＴＳＣ方式の何れか一方であり、前記表示手段の表示規格はＮＴＳＣ方式である請求項１又は２に記載の撮影装置。
【請求項４】
前記選択手段は、前記表示手段に表示されるキャラクタの位置が前記表示手段の表示範囲内となるように前記選択したキャラクタデータを変換し、前記第１の変換手段又は前記第１の変換手段及び前記第２の変換手段に入力する請求項１〜請求項３の何れか１項に記載の撮影装置。
【発明の詳細な説明】
【技術分野】
【０００１】
本発明は、撮影装置に係り、特に、撮影された被写体画像を示すビデオ信号を外部に出力するためのビデオ出力端子を備えた撮影装置に関する。
【背景技術】
【０００２】
従来より、デジタルカメラなどの撮影装置には、被写体画像のモニター用として液晶ディスプレイ等の表示装置が設けられている。また、撮影された被写体画像をテレビジョン受像機などの外部表示装置で表示するために、ビデオ信号を出力するビデオ出力端子が設けられている。
【０００３】
この液晶ディスプレイや外部表示装置の表示規格として、ＮＴＳＣ（National Television System Committee）方式やＰＡＬ（Phase Alternation by Line）方式などがあり、表示規格によって基準クロックや垂直同期信号のタイミングが異なる。
【０００４】
ここで、再生用の基準クロックを同時に１つしか用いることができないＮＴＳＣ方式にのみ対応した液晶ディスプレイを搭載するデジタルカメラにおいて、ＰＡＬ方式の外部表示装置にビデオ出力する場合がある。
【０００５】
この場合、撮影装置に搭載されている液晶ディスプレイとビデオ出力端子に接続された外部表示装置との表示規格が異なることから、液晶ディスプレイに表示される画像が歪んだり、色情報が欠落するため、ビデオ出力する時のみ液晶ディスプレイを消している。
【０００６】
一方、複数の表示装置へ出力するＬＣＤ表示制御装置として、セレクタにより複数のフレームメモリを選択し、複数の表示装置へ出力するＬＣＤ表示制御装置が提案されている（特許文献１）。
【特許文献１】特開平９−１４６４９７号公報
【発明の開示】
【発明が解決しようとする課題】
【０００７】
しかしながら、上記の特許文献１の技術では、ビデオ出力する画像とは別に、歪みを防止した画像を液晶ディスプレイ用の別のフレームメモリに蓄えるようにすると、フレームメモリから液晶ディスプレイへの画像ＤＭＡ出力用のバスが多く必要になりコストが高くなってしまう、といった問題がある。また、フレームメモリと画像ＤＭＡ出力用バスとを増設しても色情報が欠落してしまう、といった問題がある。
【０００８】
本発明は上記問題点を解決するためになされたものであり、安価な構成で、且つ、異なる表示規格の外部表示装置にビデオ信号を出力しながら撮影装置の液晶ディスプレイへの表示も行なうことができる撮影装置を提供することを目的とする。
【課題を解決するための手段】
【０００９】
上記目的を達成するために、本発明に係る撮影装置は、被写体を撮影して被写体画像を示す画像データを出力する撮影手段と、前記撮影手段から出力された画像データ及び該画像データに関するキャラクタデータを記憶する記憶手段と、予め定められた表示規格の表示信号に基づいて表示する表示手段と、入力されたデータを前記表示信号に変換する第１の変換手段と、入力されたデータを外部表示装置の表示規格に対応したビデオ信号に変換する第２の変換手段と、前記表示手段の表示規格と前記外部表示装置の表示規格とが異なる場合には、キャラクタデータを選択して前記第１の変換手段に入力すると共に、画像データ又は画像データ及びキャラクタデータを選択して前記第２の変換手段に入力する選択入力手段と、を含んで構成されている。
【００１０】
本発明に係る撮影装置の選択入力手段は、表示手段の表示規格と外部表示装置の表示規格とが異なる場合には、キャラクタデータを選択して第１の変換手段に入力すると共に、画像データ又は画像データ及びキャラクタデータを選択して第２の変換手段に入力する。第１の変換手段は入力されたデータを表示信号に変換し、第２の変換手段は入力されたデータを外部表示装置の表示規格に対応したビデオ信号に変換する。
【００１１】
従って、表示手段の表示規格と外部表示装置の表示規格とが異なる場合に、表示規格が異なる表示信号に基づいてキャラクタデータを表示し、その結果キャラクタの表示が歪んだとしても、キャラクタは容易に判読することができるので、安価な構成で、且つ、表示手段の表示規格と異なる表示規格でビデオ信号を出力しながら表示手段の表示も行なうことができる。
【００１２】
また、本発明に係る撮影装置は、外部表示装置の表示規格に対応した動作クロック信号を生成するクロック信号生成手段を更に含み、第１の変換手段は、入力されたデータを動作クロック信号に基づいて外部表示装置の表示規格に対応した表示信号に変換し、第２の変換手段は、入力されたデータを動作クロック信号に基づいて外部表示装置の表示規格に対応したビデオ信号に変換することができる。
【００１３】
また、本発明に係る外部表示装置の表示規格は、ＰＡＬ方式及びＮＴＳＣ方式の何れか一方とし、表示手段の表示規格は、ＮＴＳＣ方式とすることができる。外部表示装置の表示規格がＰＡＬ方式で、表示手段の表示規格がＮＴＳＣ方式であると、表示手段の表示が歪んでしまうが、キャラクタデータを表示手段に表示することによりキャラクタを判読することができるので、ビデオ出力をしながら表示手段の表示をすることができる。
【００１４】
また、本発明に係る選択手段は、表示手段に表示されるキャラクタの位置が表示手段の表示範囲内となるように、選択したキャラクタデータを変換し、第１の変換手段又は第１の変換手段及び第２の変換手段に入力することができる。これにより、表示手段の表示規格と外部表示装置の表示規格とが異なる場合に、表示手段の表示が歪んでも、キャラクタを表示手段の表示範囲内に表示させることができる。
【発明の効果】
【００１５】
本発明によれば、表示手段の表示規格と外部表示装置の表示規格とが異なる場合に、キャラクタデータを表示手段に表示することにより、安価な構成で、且つ、表示手段の表示規格とは異なる表示規格のビデオ信号を出力しながら撮影装置の表示手段の表示も行なうことができ、利便性が向上する、という効果が得られる。
【発明を実施するための最良の形態】
【００１６】
以下、本発明の実施の形態について詳細に説明する。
【００１７】
図１に示すように、デジタルカメラ１０の正面には、被写体像を結像させるためのレンズ２１と、撮影時に必要に応じて被写体に照射する光を発するストロボ４４と、撮影する被写体の構図を決定するために用いられるファインダ２０とが設けられている。また、デジタルカメラ１０の上面には、撮影を実行する際に押圧操作されるレリーズスイッチ５６Ａと、電源スイッチ５６Ｂと、撮影モード及び再生した被写体画像を後述するＬＣＤ３８に表示するモードである再生モードの何れかのモードに設定するためのモード切替スイッチ５６Ｃとが設けられている。
【００１８】
なお、本実施の形態に係るデジタルカメラ１０のレリーズスイッチ５６Ａは、中間位置まで押下される状態（以下、「半押し状態」という。）と、この中間位置を越えた最終押下位置まで押下される状態（以下、「全押し状態」という。）との２段階の押圧操作が検出可能に構成されている。
【００１９】
また、デジタルカメラ１０の背面には、前述のファインダ２０の接眼部と、撮影された被写体画像やメニュー画面等を表示するための液晶ディスプレイ（以下、「ＬＣＤ」という。）３８と、十字カーソルスイッチ５６Ｄとが設けられている。
【００２０】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行なうときに押圧操作されるマクロ撮影スイッチとが設けられている。
【００２１】
また、デジタルカメラ１０の側面には、ビデオ信号を外部に出力するためのビデオ出力端子６６が設けられている。
【００２２】
次に、本実施の形態に係るデジタルカメラ１０の電気系の主要構成を説明する。
【００２３】
図２に示すように、デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行なうアナログ信号処理部２６とが設けられている。
【００２４】
また、デジタルカメラ１０には、入力されたアナログ信号をデジタルデータに変換するアナログ／デジタル変換器（以下、「ＡＤＣ」という。）２８と、入力されたデジタルデータに対して各種のデジタル信号処理を行なうデジタル信号処理部３０とが設けられている。
【００２５】
なお、デジタル信号処理部３０は、所定容量のラインバッファを内蔵し、入力されたデジタルデータを後述するメモリ４８Ａの所定領域に直接記憶させる制御も行なう。
【００２６】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に各々接続されている。従って、ＣＣＤ２４から出力された被写体画像を示すアナログ信号はアナログ信号処理部２６によって所定のアナログ信号処理が施され、ＡＤＣ２８によってデジタル画像データに変換された後にデジタル信号処理部３０に入力される。
【００２７】
また、デジタルカメラ１０には、デジタルカメラ１０全体の動作を制御するＣＰＵ４０と、撮影により得られた画像データＩＤＡＴＡやキャラクタデータ等を一時的に記憶するＳＤＲＡＭ（Synchronous DRAM）で構成されるメモリ４８Ａと、各種パラメータ等の所定情報が予め記憶されたフラッシュＲＯＭで構成されるメモリ４８Ｂと、メモリ４８Ａ及びメモリ４８Ｂに対するアクセスの制御を行なうメモリインタフェース４６とが設けられている。このメモリ４８ＡはＮＴＳＣ方式用データのサイズ（６４０×４８０ピクセル分のサイズ）のフレームメモリが設けられている。また、キャラクタデータのキャラクタとしては、例えば、画像のファイル名、ファイル容量、撮影日時、撮影条件（ＩＳＯ感度、シャッタスピード、絞り、ホワイトバランス、露出、撮影場所等）、及びヒストグラムを表すキャラクタを用いることができる。なお、メモリ４８Ａには、キャラクタデータを記憶するのではなく、別の記憶領域に記憶されたキャラクタデータのアドレスを記憶してもよい。
【００２８】
更に、デジタルカメラ１０には、可搬型のスマートメディア（Smart Media(登録商標)）で構成されるメモリカード５２をデジタルカメラ１０でアクセス可能とするための外部メモリインタフェース５０と、デジタル画像データに対する圧縮処理及び伸張処理を行なう圧縮・伸張処理回路５４とが設けられている。
【００２９】
一方、デジタルカメラ１０は、主としてＣＣＤ２４を駆動させるためのタイミング信号を生成してＣＣＤ２４に供給するタイミングジェネレータ３２を備えており、ＣＣＤ２４の駆動はＣＰＵ４０によりタイミングジェネレータ３２を介して制御される。
【００３０】
更に、デジタルカメラにはモータ駆動部３４が設けられており、光学ユニット２２に備えられた図示しない焦点調整モータ、ズームモータ及び絞り駆動モータの駆動もＣＰＵ４０によりモータ駆動部３４を介して制御される。
【００３１】
すなわち、本実施の形態に係るレンズ２１は、複数枚のレンズを有し、焦点距離の変更（変倍）が可能なズームレンズで構成されており、レンズ２１は図示しないレンズ駆動機構を備えている。上記焦点調整モータ、ズームモータ及び絞り駆動モータはこのレンズ駆動機構に含まれ、これらのモータは各々ＣＰＵ４０の制御によりモータ駆動部３４から供給された駆動信号によって駆動される。
【００３２】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（図２では、「操作部５６」と総称。）はＣＰＵ４０に接続されており、ＣＰＵ４０は、操作部５６に対する操作状態を常時把握できる。
【００３３】
また、デジタルカメラ１０には、ストロボ４４とＣＰＵ４０との間に介在されると共に、ＣＰＵ４０の制御によりストロボ４４を発光させるための電力を充電する充電部４２が設けられている。更に、ストロボ４４はＣＰＵ４０にも接続されており、ストロボ４４の発光はＣＰＵ４０によって制御される。
【００３４】
更に、デジタルカメラ１０は、メモリ４８Ａからキャラクタデータを入力し、キャラクタデータのキャラクタを表すキャラクタ画像データＣＩＤＡＴＡを生成して出力するキャラクタ画像生成部８０と、メモリ４８Ａから画像データＩＤＡＴＡを入力し、当該画像データＩＤＡＴＡを拡大した拡大画像データＥＩＤＡＴＡを生成して出力すると共に、キャラクタ画像生成部８０からキャラクタ画像データＣＩＤＡＴＡを入力し、当該キャラクタ画像データＣＩＤＡＴＡを拡大した拡大キャラクタ画像データＥＣＩＤＡＴＡを生成して出力する拡大処理部７８とを備えている。
【００３５】
一方、デジタルカメラ１０は、画像データＩＤＡＴＡにより示される被写体画像やメニュー画面等をＬＣＤ３８に表示させるための表示信号を生成してＬＣＤ３８に供給する一方、ＬＣＤ３８に表示させる画像を示すビデオ信号を生成してビデオ出力端子６６に供給するビデオ／ＬＣＤエンコーダ３６を備えている。
【００３６】
ビデオ／ＬＣＤエンコーダ３６は、入力されたデータを後述するビデオ信号を示すデジタルデータに変換して出力するデジタルエンコーダ６２と、デジタルエンコーダ６２から出力されたデジタルデータをアナログ信号に変換してビデオ信号としてビデオ出力端子６６に供給するデジタル／アナログ変換器（以下、「ＤＡＣ」という。）６４とを備えている。また、ビデオ／ＬＣＤエンコーダ３６は、入力されたデータをＬＣＤ３８に供給する表示信号に変換するＬＣＤコントローラ６８を備えている。
【００３７】
ビデオ／ＬＣＤエンコーダ３６は、入力されたデータの中から選択して、デジタルエンコーダ６２及びＬＣＤコントローラ６８に別々に入力するセレクタ８４と、入力されたデータを合成して、合成画像データＭＤＡＴＡを生成し、セレクタ８４へ出力する合成回路８２を備えている。
【００３８】
その他、ＬＣＤコントローラ６８では、画像データＩＤＡＴＡ又は拡大画像データＥＩＤＡＴＡにより示される被写体画像の画素配列に変換する画素配列変換処理、当該被写体画像の画素数をＬＣＤ３８の画素数に変換する画素数変換処理、当該被写体画像に対するＬＣＤ３８の特性等に応じたガンマ処理やシャープネス処理等の各種処理を実行するが、以上のようなＬＣＤコントローラ６８の動作は従来既知であるので、これ以上の説明は省略する。
【００３９】
ここで、メニュースイッチを押圧操作することによってＬＣＤ３８に表示されるメニュー画面上で、ビデオ出力端子６６に接続するテレビジョン受像機７４（以下、「ＴＶ７４」という。）がＮＴＳＣ方式ＴＶであるのか、ＰＡＬ方式ＴＶであるのかを設定することができる。
【００４０】
デジタルカメラ１０には、主としてビデオ／ＬＣＤエンコーダ３６を駆動させるための動作クロック信号を生成してビデオ／ＬＣＤエンコーダ３６に供給するクロックジェネレータ７２が設けられている。クロックジェネレータ７２は、ＮＴＳＣ方式用及びＰＡＬ方式用の何れか一方に対応した周波数（ＮＴＳＣ方式では２４．５４ＭＨｚ、ＰＡＬ方式では２９．５ＭＨｚ）の動作クロック信号を生成する。なお、クロックジェネレータ７２はＣＰＵ４０に接続されており、クロックジェネレータ７２により生成される動作クロック信号の周波数がＮＴＳＣ方式用及びＰＡＬ方式用の何れであるかはＣＰＵ４０から入力される制御信号によって設定される。また、ビデオ／ＬＣＤエンコーダ３６の駆動はこの動作クロック信号に同期された状態で制御され、この動作クロック信号の周波数に応じて、デジタルエンコーダ６２によって変換される表示信号及びＬＣＤコントローラ６８によって変換されるビデオ信号の規格がＮＴＳＣ方式及びＰＡＬ方式の何れか一方に切り替えられる。
【００４１】
また、ビデオ／ＬＣＤエンコーダ３６は、垂直同期信号及び水平同期信号を生成するタイミングジェネレータ８６を備え、このタイミングジェネレータ８６はクロックジェネレータ７２から入力された動作クロック信号に基づいて、垂直同期信号及び水平同期信号を生成し、デジタルエンコーダ６２及びＬＣＤコントローラ６８に供給する。
【００４２】
デジタル信号処理部３０、ビデオ／ＬＣＤエンコーダ３６、ＣＰＵ４０、拡大処理部７８、キャラクタ画像生成部８０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０、拡大処理部７８、キャラクタ画像生成部８０、ビデオ／ＬＣＤエンコーダ３６及び圧縮・伸張処理回路５４の作動の制御、並びにメモリ４８Ａ、メモリ４８Ｂ及びメモリカード５２へのメモリインタフェース４６ないし外部メモリインタフェース５０を介したアクセスを行なう。
【００４３】
次に、本実施の形態に係るデジタルカメラ１０の表示動作について説明する。
【００４４】
デジタルカメラ１０で、モード切替スイッチ５６Ｃを回転操作することによって再生モードに設定されると、以下で説明する図３に示す画像表示切替処理がＣＰＵ４０によって実行される。
【００４５】
ステップ１００では、操作部５６によりキャラクタを表示するように設定されたか否かを判定する。例えば、画像を表示する際に画像に付属するキャラクタデータを表示するように設定している場合や、メニュースイッチを押圧操作した場合には、判定が肯定されステップ１０２へ移行する。
【００４６】
ステップ１０２では、メモリ４８Ａからキャラクタデータを読み出して、キャラクタ画像生成部８０に転送し、キャラクタ画像生成部８０でキャラクタ画像データＣＩＤＡＴＡを生成させる。すなわち、キャラクタデータを転送し、図４（Ａ）に示すようなＮＴＳＣ方式サイズのキャラクタを表すキャラクタ画像データＣＩＤＡＴＡ（６４０×４８０ピクセル分のデータ）を生成させる。この際に、キャラクタ画像生成部８０では、図４（Ｃ）に示すようなＬＣＤ３８の予め定められた中央の表示範囲内にキャラクタが表示されるように、キャラクタ画像データＣＩＤＡＴＡの表示範囲内にのみキャラクタをマッピングし、拡大処理部７８又は合成回路８２及びセレクタ８４に転送する。
【００４７】
次のステップ１０４では、接続されるＴＶ７４がＰＡＬ方式に設定されているか否かを判定する。判定が肯定されると、ステップ１０６へ移行し、メモリ４８Ａから画像データＩＤＡＴＡを読み出して拡大処理部７８に転送し、拡大処理部７８でＰＡＬ方式用の拡大画像データＥＩＤＡＴＡ（６４０×５７６ピクセル分のデータ）を生成させる。拡大処理部７８は、転送された画像データＩＤＡＴＡを、例えば、５ライン毎に５ライン目と同じデータを６ライン目として追加することによって、５ラインに１ラインの割合で画像データを拡大し、拡大した拡大画像データＥＩＤＡＴＡを合成回路８２及びセレクタ８４に転送する。なお、５ライン分のデータを読込んで、そのデータを６ライン分に拡大することによって画像データＩＤＡＴＡを拡大するようにしてもよい。また、同様に、キャラクタ画像生成部８０からキャラクタ画像データＣＩＤＡＴＡを読み出して拡大処理部７８に転送し、拡大処理部７８でＰＡＬ方式用の拡大キャラクタ画像データＥＣＩＤＡＴＡを生成させ合成回路８２及びセレクタ８４に転送する。
【００４８】
そして、ステップ１０８では、タイミングジェネレータ８６に供給する動作クロック信号の周波数がＰＡＬ方式用の周波数になるようにクロックジェネレータ７２を設定し、次のステップ１１０では、セレクタ８４が、合成回路８２によって拡大キャラクタ画像データＥＣＩＤＡＴＡと拡大画像データＥＩＤＡＴＡとが合成された合成画像データＭＤＡＴＡを選択してデジタルエンコーダ６２に入力し、拡大キャラクタ画像データＥＣＩＤＡＴＡを選択してＬＣＤコントローラ６８に入力するように、セレクタ８４にセレクト信号ＳＥＬを送出し、画像表示切替処理を終了する。
【００４９】
この結果、ＬＣＤコントローラ６８は、セレクタ８４から入力されたデータをＰＡＬ方式の表示信号に変換してＬＣＤ３８に供給し、図５（Ａ）に示すキャラクタがＬＣＤ３８に表示される。また、デジタルエンコーダ６２は、セレクタ８４から入力されたデータをＰＡＬ方式のビデオ信号を示すデジタルデータに変換し、ＤＡＣ６４は、このデジタルデータをビデオ信号に変換してビデオ出力端子６６に供給し、図５（Ｂ）に示す画像がＴＶ７４に表示される。
【００５０】
なお、ＴＶ７４には画像データのみを表示させるように、メニュー画面上で予め設定されている場合には、拡大画像データＥＩＤＡＴＡを選択してデジタルエンコーダ６２に入力するように、セレクタ８４にセレクト信号ＳＥＬを送出する。
【００５１】
一方、接続されるＴＶ７４としてＮＴＳＣ方式が設定されており、ステップ１０２の判定が否定されると、ステップ１１２へ移行する。ステップ１１２では、タイミングジェネレータ８６に供給する動作クロック信号の周波数がＮＴＳＣ方式用の周波数になるようにクロックジェネレータ７２を設定し、次のステップ１１４では、セレクタ８４が、デジタルエンコーダ６２及びＬＣＤコントローラ６８に、合成回路８２によってキャラクタ画像データＣＩＤＡＴＡと画像データＩＤＡＴＡとが合成された合成画像データＭＤＡＴＡを選択して入力するように、セレクタ８４にセレクト信号ＳＥＬを送出し、画像表示切替処理を終了する。
【００５２】
この結果、ＬＣＤコントローラ６８は、セレクタ８４から入力されたデータをＮＴＳＣ方式の表示信号に変換してＬＣＤ３８に供給し、図６（Ａ）に示す画像がＬＣＤ３８に表示される。また、デジタルエンコーダ６２は、セレクタ８４から入力されたデータをＮＴＳＣ方式のビデオ信号を示すデジタルデータに変換し、ＤＡＣ６４は、このデジタルデータをビデオ信号に変換してビデオ出力端子６６に供給し、図６（Ｂ）に示す画像がＴＶ７４に表示される。
【００５３】
ステップ１００の判定が否定された場合には、ステップ１１６で、通常のビデオ出力処理を実行し、画像表示切替処理を終了する。通常のビデオ出力処理は、接続されるＴＶ７４としてＰＡＬ方式が設定されていると、例えば、動作クロック信号の周波数をＰＡＬ方式用にするようにクロックジェネレータ７２を設定し、セレクタ８４が拡大画像データＥＩＤＡＴＡを選択してデジタルエンコーダ６２に入力し、ＬＣＤコントローラ６８にデータを入力しないように、セレクタ８４を設定する。この結果、デジタルエンコーダ６２及びＤＡＣ６４は、セレクタ８４から入力されたデータをＰＡＬ方式のビデオ信号に変換してビデオ出力端子６６に供給し、画像がＴＶ７４に表示され、ＬＣＤ３８の表示がブラックアウトされる。
【００５４】
一方、接続されるＴＶ７４としてＮＴＳＣ方式が設定されていると、動作クロック信号の周波数をＮＴＳＣ方式用にするようにクロックジェネレータ７２を設定し、セレクタ８４が、画像データＩＤＡＴＡを選択してデジタルエンコーダ６２及びＬＣＤコントローラ６８に入力するようにセレクタ８４を設定する。この結果、ＬＣＤコントローラ６８は、セレクタ８４から入力されたデータをＮＴＳＣ方式の表示信号に変換してＬＣＤ３８に供給し、画像がＬＣＤ３８に表示される。また、デジタルエンコーダ６２及びＤＡＣ６４は、セレクタ８４から入力されたデータをＮＴＳＣ方式のビデオ信号に変換してビデオ出力端子６６に供給し、画像がＴＶ７４に表示される。
【００５５】
以上説明したように、ＬＣＤの表示規格とＴＶの表示規格とが異なる場合に、表示規格が異なる表示信号に基づいてキャラクタデータをＬＣＤに表示し、その結果キャラクタが歪んだとしても、キャラクタは容易に判読することができるので、安価な構成で、且つ、ＬＣＤの表示規格とは異なる表示規格のビデオ信号を出力しながらデジタルカメラのＬＣＤの表示も行なうことができ、利便性が向上する。
【００５６】
また、ビデオ出力がＰＡＬ方式である場合に、予め定められた中央の表示範囲内にキャラクタが表示されるように、キャラクタ画像データの表示範囲内にのみキャラクタをマッピングすることにより、キャラクタを確実にＬＣＤに表示させることができる。
【００５７】
なお、本実施の形態では、拡大処理部とキャラクタ画像生成部とを設けた例について説明したが、拡大処理部とキャラクタ画像生成部との機能をデジタル信号処理部に設け、デジタル信号処理部によってキャラクタ画像データを生成したり、拡大した画像データを生成するようにしてもよい。
【００５８】
また、ビデオ出力端子に接続されたＴＶがＮＴＳＣ方式ＴＶであるのか、ＰＡＬ方式ＴＶであるのかをメニュー画面で設定する例について説明したが、デジタルカメラの背面にＮＴＳＣ方式ＴＶ及びＰＡＬ方式ＴＶの何れか一方を選択するスイッチを設けてもよい。
【００５９】
また、再生モードに設定された場合に、ＣＰＵが画像表示切替処理を実行する例について説明したが、撮影モードにおけるスルー画像を表示する際にもＣＰＵが画像表示切替処理を実行してもよい。
【図面の簡単な説明】
【００６０】
【図１】実施の形態に係るデジタルカメラの外観を示す外観図である。
【図２】実施の形態に係るデジタルカメラの電気系の主要構成を示すブロック図である。
【図３】実施の形態に係る画像表示切替処理の流れを示すフローチャートである。
【図４】実施の形態に係る画像表示切替処理によりキャラクタがマッピングされた画像を示す概略図である。
【図５】ユーザによって、ビデオ出力端子６６に接続されているＴＶ７４としてＰＡＬ方式ＴＶが設定されている場合における、ＬＣＤ３８によって表示される画像と、ＴＶ７４によって表示される画像と、を示す概略図である。
【図６】ユーザによって、ビデオ出力端子６６に接続されているＴＶ７４としてＮＴＳＣ方式ＴＶが設定されている場合における、ＬＣＤ３８によって表示される画像と、ＴＶ７４によって表示される画像と、を示す概略図である。
【符号の説明】
【００６１】
１０    デジタルカメラ
３６    ビデオ／ＬＣＤエンコーダ
３８    ＬＣＤ
４０    ＣＰＵ
４８Ａ    メモリ
６２    デジタルエンコーダ
６４    ＤＡＣ
６６    ビデオ出力端子
６８    ＬＣＤコントローラ
７２    クロックジェネレータ
７４    ＴＶ
８０    キャラクタ画像生成部
８４    セレクタ
【図１】
2006060445.tif 000003
【図２】
2006060445.tif 000004
【図３】
2006060445.tif 000005
【図４】
2006060445.tif 000006
【図５】
2006060445.tif 000007
【図６】
2006060445.tif 000008